(57)【要約】【課題】土中への穿孔と肥料の投入を一つの工程で行うことにより、作業を単純効率化し、肥料投入後の穿孔への土入れ作業を省略できることを課題とする。【解決手段】先端に穿孔具を有する支持棒を、長尺角筒内に、穿孔具を角筒先端の肥料送出口より突出させ、かつ軸方向に可動に収容し、土中に穿孔具を突き刺すときは、穿孔具が角筒先端の肥料送出口を閉じ角筒と一体になって穿孔を行ない、施肥器を土中より引き抜くとき、角筒の引き抜き動作の初期においては、角筒が穿孔具と分離し穿孔具を残して少しだけ引き抜かれ、角筒の先端の肥料送出口と穿孔具のとの間に間隙が生じ、この間隙から，予め角筒内に投入しておいた肥料が土中に落下し、その後は、角筒と穿孔具はともに引き抜かれる。【選択図】図２
0003124653.tif 000002
【実用新案登録請求の範囲】
【請求項１】
中間に肥料投入口を、先端に投入された肥料の送出口を、それぞれ有する長尺角筒と、先端に穿孔具を有する支持棒とからなり、
支持棒の穿孔具を角筒の肥料送出口の外側に隣接させて支持棒を角筒内に軸方向に可動に配置し、支持棒の軸方向の運動に応じて穿孔具が肥料送出口を開閉するように構成し、
肥料送出口から穿孔具が離反する方向への支持棒の軸方向運動を規制する手段を角筒内に設け、角筒の他端に直交する把手を付設した施肥器。
【請求項２】
角筒に、肥料投入口の外側においてホッパーを、肥料送出口には穿孔具が密接可能な受け具を、中間部外側に直角方向に突出する踏み棒を、それぞれ併せ設けた請求項１に記載の施肥器。
【請求項３】
角筒が三角形、四角形、その他の多角形から選ばれた横断面形状を有する請求項１または２に記載の施肥器。
【請求項４】
穿孔具が円錐形の先端部とその底部から反対向きの円錐形接合面とを有し、受け具が穿孔具の円錐形接合面と接合可能な内面を有する請求項１乃至３のいずれかに記載の施肥器。
【考案の詳細な説明】
【技術分野】
【０００１】
本考案は畑や果樹園などにおいて、土中に肥料を投入するための施肥器に関する。
【背景技術】
【０００２】
きゅうり、トマト等の果菜類や果樹園などにおいては、定期的に土中深くに肥料を与えることが行われている。このための器具として、例えば特開平９−２８１３８号、特開
平７−２１３１２７号公報に記載のものが知られているが、穿孔具を土中に挿入した後に肥料を埋め込むまでにいくつかの作業手順が必要で、一つの工程に時間がかかる欠点がある。
【特許文献１】特開平９−２８１３８号公報
【特許文献２】特開平７−２１３１２７号公報
【考案の開示】
【考案が解決しようとする課題】
【０００３】
追肥の目的は植物の栄養吸収根を傷めることなく、根群層に効率よく肥料を与えることであり、できるだけきめ細かに施肥することが、肥料の効率をよくする。また、根を傷つけないために，できるだけ土壌の移動を少なくする必要がある。土中への穿孔と肥料の投入を一つの工程で行うことにより、作業を単純効率化すること、および、肥料投入後の穿孔への土入れ作業を省略できることを課題とする。
【課題を解決するための手段】
【０００４】
上記課題を解決するために、本考案の施肥器は、先端に穿孔具を有する支持棒を長尺角筒内に軸方向に可動に収容すると共に穿孔具を角筒先端より突出させ、土中に穿孔具を突き刺すときは、穿孔具が角筒と一体になって穿孔を行ない、施肥器を土中より引き抜くときは、角筒の引き抜き動作の初期においては、角筒が穿孔具と分離し穿孔具を残して少しだけ引き抜かれるので、角筒先端の肥料送出口と穿孔具のとの間に間隙が生じ、この間隙から，予め角筒内に投入しておいた肥料が土中に落下し、その後は、角筒と穿孔具は一体になって引き抜かれるように構成される。
【考案の効果】
【０００５】
本考案の施肥具は、土中に突き込んで、引き抜くだけの一工程で肥料が自動的に土中に落下するので、レバー操作などの付加工程が不要で、短時間で多くの場所に施肥を行うことができる。施肥具を土中に挿入する力は角筒の断面積で決まるが、土中で９０度回転させることによって、角筒の角によって回りの土が削りほぐされ円筒形の孔をあけるので、あけることができる孔の径に対して挿入力が小さくてすむ。また、角筒を引き抜いたとき、ほぐされた土が孔の底に落下して底にたまった肥料を覆うので土かけの必要がない効果もある。先端に穿孔具を有する支持棒を、穿孔具を角筒の肥料送出口の外側に隣接させて角筒内に軸方向に可動に配置し、支持棒の軸方向の運動に応じて穿孔具が肥料送出口を開閉するようにしたので、構造および操作が簡単である。
【考案を実施するための最良の形態】
【０００６】
本考案の施肥具は、中間に肥料投入口を、先端に投入された肥料の送出口を、それぞれ有する長尺角筒と、先端に穿孔具を有する支持棒とからなり、支持棒の穿孔具を角筒の肥料送出口の外側に隣接させて支持棒を角筒内に軸方向に可動に配置し、支持棒の軸方向の運動に応じて穿孔具が肥料送出口を開閉するように構成し、肥料送出口から穿孔具が離反する方向への支持棒の軸方向運動を規制する手段を角筒内に設け、角筒の他端に直交する把手を付設する。角筒に、肥料投入口の外側においてホッパーを、肥料送出口には穿孔具が密接可能な受け具を、中間部外側に直角方向に突出する踏み棒を、それぞれ併せ設ける。角筒は、三角形、四角形、その他の多角形から選ばれた横断面形状を有する。穿孔具は、円錐形の先半部とその底部から反対向きの円錐形接合面とを有し、受け具は穿孔具の円錐形接合面と接合可能な内周縁を有する。
【実施例】
【０００７】
１は４角筒で、支柱部２とガイド部３とからなる。２１は支柱部２の下端の止め具、３１はガイド部３の上端の止め具で、止め具２１，３１によって両部２、３を軸方向に連結して一体の角筒を形成する。４は支柱部２の上端にＴ字状に固定した把手、２２は支柱部２の一側面の下部に穿設した肥料投入口、５は投入口２２を覆うホッパー、６はガイド部上方に直角に突設した足踏み棒、３２はガイド部３の下端の肥料送出口、３３は肥料送出口３２を規定する穿孔具受け具で、ガイド部３の下端に固定したリングからなる。７は穿孔具、８は先端に穿孔具７が固定された支持棒、９、１０は支持棒８をガイド部３内に軸方向に可動に支持する上下支持部材で、上方支持部材９は足踏み棒６をガイド部３の角筒内に貫通させて固定し、支持棒８が挿通される直交貫通孔９１を設けることにより形成される。下方支持部材１０はガイド部３の角筒内を横断する支持桿に支持棒８が挿通される直交貫通孔１０１を設けて形成することができる。穿孔具７は、先端の円錐形部分７１とこれに続く後ろ向き円錐台状部分７２とからなり、後ろ向き円錐台状部分７２が支持棒８の下端に固定され、後ろ向き円錐台状部分７２の円錐面が受け具３３のリングの下周縁に対して密接合離反可能とされている。８１は支持棒８の他端（上端）に付設したストッパーで、上方支持部材９に当たって、支持棒８のそれ以上の軸方向の（下方への）移動を阻止する。
【０００８】
本器を使用するには、把手４を手で持ち足踏み棒６に片足を乗せ、体重をかけて押し込むと、穿孔具７は受け具３３のリングに押圧され密着して肥料送出口３２を閉じ土中に押し込まれる。足踏み棒６が地表に着くまでガイド部３を押し込み、ホッパー５へ予め定めた量の粒状または粉状の肥料を投入すると、肥料は支柱部２の肥料投入口２２からガイド部３を通って、穿孔具７で密閉された肥料送出口３２近くに滞留する（図２、Ａ図）。把手４を９０度ほど回わすと、ガイド部３の４角筒の角によって、角筒の対角線の直径の孔Ｒの部分の土が削りほぐされる（図２、Ｂ−Ｂ断面図）。この孔の径は角筒の辺の長さよりも大きい。ガイド部３を土中より引き抜くとき、引き抜き動作の初期においては、角筒が穿孔具７と分離し穿孔具７を残して少しだけ引き抜かれるので、角筒の先端の肥料送出口３２と穿孔具７との間に間隙が生じ、予め角筒内に投入しておいた肥料がこの隙間から土中に落下する（図２、Ｂ図）、その後は、角筒４と穿孔具７はともに引き抜かれ、孔の底に肥料が残り（図２、Ｃ図）、削られた土が孔の底に落ち込んで肥料を覆うので、肥料が直接空気に触れて酸化されるのを防止する。
【０００９】
なお、角筒は、図示例では、横断面が正方形であるが、三角形でも、４角以外の多角形であってもよい。
【図面の簡単な説明】
【００１０】
【図１】本考案の施肥器の斜視図。
【図２】図１の施肥器の一部を縦断面で示した正面図で、Ａ図は本器を土中に押し込んだ状態、Ｂ図はＡ図の状態から９０度回転させて少し引き抜いた状態およびＢ−Ｂ端面、Ｃ図はさらに引き抜いた状態、をそれぞれ示す。
【図３】本考案施肥器の使用状態を示す図。
【符号の説明】
【００１１】
１・・・４角筒
２・・・支柱部  
２１・・・止め具
２２・・・肥料投入口
３・・・ガイド部    
３１・・・止め具
３２・・・肥料送出口
３３・・・穿孔具受け具
４・・・把手
５・・・ホッパー
６・・・足踏み棒
７・・・穿孔具
７１・・・円錐形部分
７２・・・後ろ向き円錐台状部分
８・・・支持棒
８１・・・ストッパー
９・・・上部支持部材
１０・・・下部支持部材
【図１】
0003124653.tif 000003
【図２】
0003124653.tif 000004
【図３】
0003124653.tif 000005